(57)【要約】【課題】デッキプレートに対する感知器の容易な取付作業を実現する。【解決手段】予め取付用プレート３０に固定されている煙感知器２０は、本体部２１と露出型アウトレットボックス２２とで構成されており、本体部２１が露出型アウトレットボックス２２を介して取付用プレート３０に２本のねじ２５にて固定されている。このように煙感知器２０が固定された取付用プレート３０を、４本のタッピングビス３１にて、デッキプレートの開口１７を蓋うようにして所定位置に固定する。これによって、取付用プレート３０に固定された煙感知器２０は、デッキプレート１０の下方へ突出するようにして取り付けられる。また、煙感知器２０から延びる電線２３を、デッキプレート１０に設けられた配線用開口１５を通してデッキプレート１０の上側へ導出して配線する。【選択図】      図４
2006107303.tif 000002
【特許請求の範囲】
【請求項１】
デッキプレートの上部に他の部材が積層されていない状態において、当該デッキプレートに対して感知器を取り付ける感知器の取付方法であって、
前記デッキプレートの上側突状部分に設けられた開口から感知器を下方へ突出させるようにして前記デッキプレートの上部から感知器を取り付ける取付工程と、感知器からの電線をデッキプレートの上側部分に配線する配線工程とからなることを特徴とする感知器の取付方法。
【請求項２】
請求項１に記載の感知器の取付方法において、
前記取付工程には、前記デッキプレートの上側突状部分に前記開口を設ける作業が含まれることを特徴とする感知器の取付方法。
【請求項３】
請求項１又は２に記載の感知器の取付方法において、
前記取付工程では、感知器の取り付けられた前記開口に対応する取付用プレートを前記開口を塞ぐようにして固定することによって、前記デッキプレートから下方へ突出した状態で感知器を取り付けることを特徴とする感知器の取付方法。
【請求項４】
請求項１乃至３のいずれかに記載の感知器の取付方法において、
前記配線工程では、感知器からの電線を、前記デッキプレートの上側溝状部分に配線することを特徴とする感知器の取付方法。
【請求項５】
請求項１乃至４のいずれかに記載の感知器の取付方法において、
前記配線工程では、感知器からの電線を、受信盤の配設される壁面の上方まで配線し、前記デッキプレートに設けられた受信盤用開口から前記デッキプレートの下方に配設される受信盤に配線することを特徴とする感知器の取付方法。
【請求項６】
請求項１乃至５のいずれかに記載の感知器の取付方法において、
前記取付工程および前記配線工程に際して、防水処理を施すことを特徴とする感知器の取付方法。
【請求項７】
請求項６に記載の感知器の取付方法において、
前記防水処理は、開口部分および固定部分の隙間に対するコーキングであることを特徴とする感知器の取付方法。
【請求項８】
請求項６又は７に記載の感知器の取付方法において、
前記防水処理は、防水効果のある被覆手段にて感知器が覆われた状態で当該被覆手段を貼着手段にて貼着し、当該貼着手段を剥離可能であって作業者が床上で操作可能な被覆取外し手段を設けるものであることを特徴とする感知器の取付方法。
【請求項９】
請求項８に記載の感知器の取付方法において、
前記防水処理は、前記被覆取外し手段を前記貼着手段の一方の端部に固定し、前記貼着手段の他方の端部を前記被覆手段に固定することによってなされることを特徴とする感知器の取付方法。
【請求項１０】
上側突状部分に開口の設けられたデッキプレートと、
該デッキプレートの開口から下方へ突出させるようにして前記デッキプレートの上部から取り付けられた感知器と、
該感知器からデッキプレートの上側部分に配線された電線とを備えていることを特徴とする感知器の取付構造。
【請求項１１】
請求項１０に記載の感知器の取付構造において、
前記感知器は、前記開口に対応する取付用プレートに取り付けられており、当該取付用プレートを前記開口を塞ぐようにして固定することによって、前記デッキプレートから下方へ突出した状態で取り付けられていることを特徴とする感知器の取付構造。
【請求項１２】
請求項１０又は１１に記載の感知器の取付構造において、
前記電線は、前記デッキプレートの上側溝状部分に配線されていることを特徴とする感知器の取付構造。
【請求項１３】
請求項１０乃至１２のいずれかに記載の感知器の取付構造において、
前記電線は、受信盤の配設される壁面の上方まで配線されており、前記デッキプレートに設けられた受信盤用開口から前記デッキプレートの下方に配設される受信盤に配線されていることを特徴とする感知器の取付構造。
【請求項１４】
請求項１０乃至１３のいずれかに記載の感知器の取付構造において、
開口部分および固定部分の隙間に対するコーキングがなされていることを特徴とする感知器の取付構造。
【発明の詳細な説明】
【技術分野】
【０００１】
本発明は、煙感知器など、感知器の取り付け技術に関する。
【背景技術】
【０００２】
従来、工場などの天井には、デッキプレート（折板）を用いたものが知られている。このデッキプレートの上方には、例えば、断熱材、防水シートなどが積層される。
【０００３】
このような天井に対し感知器を取り付ける場合、デッキプレートの下方から取り付けるのが一般的であった（例えば、特許文献１参照）。
【０００４】
例えば図８に示すように、天井は、デッキプレート１００、断熱材１１１、および、防水シート１１２で構成されている。このとき、煙感知器２００は、デッキプレート１００の下側突状部分に、その本体部２０１が露出型アウトレットボックス２０２を介して取り付けられる。
【特許文献１】特開平１１−１５４２８８号公報
【発明の開示】
【発明が解決しようとする課題】
【０００５】
しかしながら、デッキプレート１００の下方からの取り付けにおいては、その作業が困難となる。特に床から十数ｍといった高所に天井が位置する場合には、例えば高所作業車を利用しての作業となるが、梁などの障害物が存在したりして、作業の自由度が小さくなる。また、高所作業車による作業は、作業車を移動させる度に、作業者を乗せるカゴを一旦降ろさなくてはならず、作業に要する時間も大きくなる。さらに、露出型アウトレットボックス２０２からの電線２０３は受信盤に接続されるが、デッキプレート１００の下側に配線するために、電線２０３を支持するための金具２０４が必要になり、金具２０４の取付作業も発生する。
【０００６】
また、例えば高所作業車を入れた床上作業となるため、床仕上げ作業、照明器具取付作業、塗装工事、内装工事等と競合するといった問題がある。そして、他工事と並行して作業をしようとすれば、作業の自由度が小さくなるおそれがあった。一方、他工事と別の時間帯で作業をしようとすれば、作業時間が制限されてしまうおそれがあった。
【０００７】
本発明は、上述したような問題を解決するためになされたものであり、感知器の容易な取付作業を実現することを目的とする。
【課題を解決するための手段】
【０００８】
以下、上記目的等を解決するのに適した各手段につき項分けして説明する。尚、必要に応じて対応する手段に特有の作用効果等を付記する。
【０００９】
手段１．デッキプレートの上部に他の部材が積層されていない状態において、当該デッキプレートに対して感知器を取り付ける感知器の取付方法であって、
前記デッキプレートの上側突状部分に設けられた開口から感知器を下方へ突出させるようにして前記デッキプレートの上部から感知器を取り付ける取付工程と、感知器からの電線をデッキプレートの上側部分に配線する配線工程とからなることを特徴とする感知器の取付方法。
【００１０】
手段１に記載の感知器の取付方法は、デッキプレートの上部に他の部材が積層されていない状態で取り付けるものである。例えば、天井屋根工事に先立って行うことが一例として考えられる。
【００１１】
本発明の取付方法は、取付工程と配線工程とからなる。取付工程では、デッキプレートの上側突状部分に設けられた開口から感知器を下方へ突出させるようにしてデッキプレートの上部から感知器を取り付ける。上側突状部分とは、デッキプレートの折り曲げ方向の断面において上に凸となっている部分をいう（以下の手段でも同様）。また、配線工程では、感知器からの電線をデッキプレートの上側部分に配線する。電線には、電源線や信号線が含まれるものとする（以下の手段でも同様）。
【００１２】
このように感知器をデッキプレートの上部から取り付けるため、高所作業車を入れた床上作業が発生しない。つまり、天井に上っての作業となるのである。したがって、たとえば床から十数ｍといった高所に天井が位置する場合であっても、梁などの障害物が邪魔になることがなく、作業の自由度が小さくなることはない。また、高所作業車を用いた場合の不具合が払拭され、床仕上げ作業、照明器具取付作業、塗装工事、内装工事などの他の作業と競合することもなくなる。また、感知器からの電線がデッキプレートの上側部分に配線されるため、電線を支持するための金具が必要なくなり、いわゆる転がし配線が可能となる。その結果、感知器の容易な取付作業が実現される。
【００１３】
手段２．手段１に記載の感知器の取付方法において、
前記取付工程には、前記デッキプレートの上側突状部分に前記開口を設ける作業が含まれることを特徴とする感知器の取付方法。
【００１４】
手段２に示すように、取付工程において、デッキプレートの上側突状部分に開口を設けるようにしてもよい。このようにすれば、デッキプレートの任意位置に感知器を取り付けることができる。
【００１５】
手段３．手段１又は２に記載の感知器の取付方法において、
前記取付工程では、感知器の取り付けられた前記開口に対応する取付用プレートを前記開口を塞ぐようにして固定することによって、前記デッキプレートから下方へ突出した状態で感知器を取り付けることを特徴とする感知器の取付方法。
【００１６】
手段３によれば、取付工程において、感知器の取り付けられた取付用プレートを開口を塞ぐようにして固定することによって、デッキプレートから下方へ突出した状態で感知器を取り付ける。取付用プレートは、デッキプレートの開口に対応する大きさとなっている。例えば、デッキプレートの開口よりも一回り大きなものとすることが考えられる。そして、取付用プレートは、デッキプレートに対して例えばタッピングビスといった所定の螺着手段で固定することが考えられる。このようにすれば、感知器を簡単に取り付けることができる。
【００１７】
尚、上述した取付用プレートに対して感知器を予め取り付けておくことも考えられるが、取付工程において、取付用プレートに対し感知器を取り付けるようにしてもよい。例えば、露出型アウトレットボックスと呼ばれる樹脂製の部材を介して感知器の本体部を取付用プレートに取り付けることが考えられる。この場合も、所定の螺着手段で取り付けるという具合である。
【００１８】
手段４．手段１乃至３のいずれかに記載の感知器の取付方法において、
前記配線工程では、感知器からの電線を、前記デッキプレートの上側溝状部分に配線することを特徴とする感知器の取付方法。
【００１９】
手段４によれば、配線工程において、感知器からの電線が、前記デッキプレートの上側溝状部分に配線される。上側溝状部分とは、デッキプレートの折り曲げ方向の断面において上に凹となっている部分をいう（以下の手段でも同様）。通常、断熱材や防水シートが積層される場合、このデッキプレートの上側溝状部分は、空洞となる。したがって、ここに電線を配線すれば、電線が断熱材等の設置の妨げとならず、しかも、感知器の容易な取付作業が実現される。
【００２０】
尚、「感知器からの電線を、デッキプレートの傾斜面に設けられた配線用開口からデッキプレートの上側溝状部分に導出する」こととしてもよい。このようにすれば、デッキプレートの上側の配線が実現され、感知器の容易な取付作業が実現される。
【００２１】
また、「前記配線工程には、前記デッキプレートの傾斜面に前記配線用開口を設ける作業が含まれること」としてもよい。このようにすれば、デッキプレートの任意位置での配線が可能となる。
【００２２】
手段５．手段１乃至４のいずれかに記載の感知器の取付方法において、
前記配線工程では、感知器からの電線を、受信盤の配設される壁面の上方まで配線し、前記デッキプレートに設けられた受信盤用開口から前記デッキプレートの下方に配設される受信盤に配線することを特徴とする感知器の取付方法。
【００２３】
手段５によれば、配線工程において、感知器からの電線が、受信盤の配設される壁面の上方まで配線され、デッキプレートに設けられた受信盤用開口からデッキプレートの下方に配設される受信盤に配線される。感知器からの電線を受信盤の配設される壁面の上方まで配線しようとした場合、電線はデッキプレートの上側に配線されるため、デッキプレートの下面に沿わせる場合と異なり、電線を支持する金具は必要ない。そのため、受信盤用開口から受信盤までの配線に伴う金具のみで足りる。受信盤用開口から受信盤までの配線は、例えば配管を用いて行うことが考えられる。その場合、この配管を壁面に取り付けるための金具のみで足りる。受信盤の直上方の電線からは略鉛直方向の配管を用いて受信盤への配線を行い、受信盤の直上方にない電線からは壁際横引配管を用いて受信盤への配線を行うことが考えられる。このようにすれば、感知器の配線が簡単になり、感知器の容易な取付作業が実現される。
【００２４】
尚、「前記配線工程には、前記デッキプレートに前記受信盤用開口を設ける作業が含まれること」としてもよい。このようにすれば、デッキプレート下方の任意の位置に受信盤を設けることができる。
【００２５】
手段６．手段１乃至５のいずれかに記載の感知器の取付方法において、
前記取付工程および前記配線工程に際して、防水処理を施すことを特徴とする感知器の取付方法。
【００２６】
手段６によれば、取付工程および配線工程において防水処理を施すため、たとえデッキプレートの上部に他の部材が積層されていない状態において感知器を取り付けたとしても、感知器に対する雨水などによる悪影響を抑制することができる。
【００２７】
手段７．手段６に記載の感知器の取付方法において、
前記防水処理は、開口部分および固定部分の隙間に対するコーキングであることを特徴とする感知器の取付方法。
【００２８】
具体的な防水処理として、手段７に示すような、開口部分および固定部分の隙間に対するコーキングが考えられる。例えば、取付用プレートを用いる場合には取付用プレートとデッキプレートとの接合面の隙間を、また、配線用開口や受信盤用開口が設けられることを前提にこれらの開口の隙間をコーキングするという具合である。また例えば、螺着手段を用いる場合には、螺着手段の頭部の隙間をコーキングするという具合である。このようにすれば、デッキプレート下方の感知器に雨水が作用する可能性が小さくなり、感知器が雨水などによって影響を受ける可能性が小さくなる。
【００２９】
手段８．手段６又は７に記載の感知器の取付方法において、
前記防水処理は、防水効果のある被覆手段にて感知器が覆われた状態で当該被覆手段を貼着手段にて貼着し、当該貼着手段を剥離可能であって作業者が床上で操作可能な被覆取外し手段を設けるものであることを特徴とする感知器の取付方法。
【００３０】
また具体的な防水処理として、手段８に示すような感知器自体への防水処理が考えられる。すなわち、防水効果のある被覆手段にて感知器が覆われた状態で当該被覆手段を貼着手段にて貼着し、当該貼着手段を剥離可能であって作業者が床上で操作可能な被覆取外し手段を設けるものが考えられる。例えば、被覆手段としてのビニル袋で感知器を覆い、このビニル袋を貼着手段としてのビニルテープで貼着しておき、ビニルテープの一部に固定されて床付近まで延びた被覆取外し手段としてのビニル紐を設けるという具合である。この場合、ビニル紐を引っ張ることにより、ビニルテープの剥離が生じてビニル袋が感知器から取り外される。このようにすれば、デッキプレートの上部に他の部材が積層されていない状態において感知器が雨水などによって影響を受ける可能性が小さく、他の部材が積層されて雨水などが侵入することがなくなった後には、速やかに被覆手段を取り外すことができる。尚、貼着手段は種々のもので実現できるが、比較的粘着力の弱いビニルテープを用いることが望ましい。
【００３１】
手段９．手段８に記載の感知器の取付方法において、
前記防水処理は、前記被覆取外し手段を前記貼着手段の一方の端部に固定し、前記貼着手段の他方の端部を前記被覆手段に固定することによってなされることを特徴とする感知器の取付方法。
【００３２】
被覆手段の取外しを適切に行うため、手段９に示すようにしてもよい。すなわち、被覆取外し手段を貼着手段の一方の端部に固定し、貼着手段の他方の端部を被覆手段に固定する。上述した例でいうと、ビニル紐をビニルテープの一方の端部に固定し、ビニルテープの他方の端部をビニル袋に固定する。このようにすれば、被覆取外し手段にて貼着手段を剥離させることができるとともに、貼着手段の端部に被覆手段が固定されているため、容易に被覆手段を取り外すことが可能となる。
【００３３】
尚、「手段１乃至１３のいずれかに記載の感知器の取付方法において、前記感知器は、高所に位置するデッキプレートに取り付けられる煙感知器であること」としてもよい。本発明は感知器の種類を問わないが、通常、デッキプレートが高所に位置する場合、感知器として煙感知器が採用される。したがって、感知器の一例として、煙感知器を採用することが考えられる。
【００３４】
以上は、感知器の取付方法の発明として説明してきたが、感知器の取付構造の発明としても実現できる。以下に示す如くである。
【００３５】
手段１０．上側突状部分に開口の設けられたデッキプレートと、
該デッキプレートの開口から下方へ突出させるようにして前記デッキプレートの上部から取り付けられた感知器と、
該感知器からデッキプレートの上側部分に配線された電線とを備えていることを特徴とする感知器の取付構造。
【００３６】
手段１０に記載の感知器の取付構造は、デッキプレートと、感知器と、電線とを備えている。デッキプレートには、その上側突状部分に開口が設けられており、感知器は、デッキプレートの開口から下方へ突出させるようにしてデッキプレートの上部から取り付けられている。そして、感知器からの電線は、デッキプレートの上側部分に配線されている。
【００３７】
このような取付構造では、感知器がデッキプレートの上部から取り付けられるため、高所作業車を入れた床上作業が発生しない。したがって、たとえば床から数十ｍといった高所に天井が位置する場合であっても、梁などの障害物が邪魔になることがなく、作業の自由度が小さくなることはない。また、高所作業車を用いた場合の不具合が払拭され、床仕上げ作業、照明器具取付作業、塗装工事、内装工事などの他の作業と競合することもなくなる。また、感知器からの電線がデッキプレートの上側部分に配線されるため、電線を支持するための金具が必要なくなり、いわゆる転がし配線が可能となる。その結果、感知器の容易な取付作業が実現される。
【００３８】
手段１１．手段１０に記載の感知器の取付構造において、
前記感知器は、前記開口に対応する取付用プレートに取り付けられており、当該取付用プレートを前記開口を塞ぐようにして固定することによって、前記デッキプレートから下方へ突出した状態で取り付けられていることを特徴とする感知器の取付構造。
【００３９】
手段１１によれば、感知器の取り付けられた取付用プレートを開口を塞ぐようにして固定することによって、デッキプレートから下方へ突出した状態で感知器が取り付けられている。取付用プレートは、デッキプレートの開口に対応する大きさとなっている。例えば、デッキプレートの開口よりも一回り大きなものとすることが考えられる。そして、取付用プレートは、デッキプレートに対して例えばタッピングビスといった所定の螺着手段で固定することが考えられる。このようにすれば、感知器の容易な取付作業が実現される。
【００４０】
手段１２．手段１０又は１１に記載の感知器の取付構造において、
前記電線は、前記デッキプレートの上側溝状部分に配線されていることを特徴とする感知器の取付構造。
【００４１】
手段１２によれば、感知器からの電線が、デッキプレートの上側溝状部分に配線されている。通常、断熱材や防水シートがデッキプレートに積層される場合、このデッキプレートの上側溝状部分は、空洞となる。したがって、ここに電線を配線すれば、電線の配置が簡単になり、感知器の容易な取付作業が実現される。
【００４２】
尚、「前記電線は、前記デッキプレートの傾斜面に設けられた配線用開口から前記デッキプレートの上側溝状部分へ導出されていること」としてもよい。このようにすれば、デッキプレートの上側の配線が実現され、感知器の容易な取付作業が実現される。
【００４３】
手段１３．手段１０乃至１２のいずれかに記載の感知器の取付構造において、
前記電線は、受信盤の配設される壁面の上方まで配線されており、前記デッキプレートに設けられた受信盤用開口から前記デッキプレートの下方に配設される受信盤に配線されていることを特徴とする感知器の取付構造。
【００４４】
手段１３によれば、感知器からの電線が、受信盤の配設される壁面の上方まで配線され、デッキプレートに設けられた受信盤用開口からデッキプレートの下方に配設される受信盤に配線される。感知器からの電線を受信盤の配設される壁面の上方まで配線しようとした場合、電線はデッキプレートの上側に配線されるため、デッキプレートの下面に沿わせる場合と異なり、電線を支持する金具は必要ない。そのため、受信盤用開口から受信盤までの配線に伴う金具のみで足りる。受信盤用開口から受信盤までの配線は、例えば配管を用いて行うことが考えられる。その場合、この配管を壁面に取り付けるための金具のみで足りる。受信盤の直上方の電線からは略鉛直方向の配管を用いて受信盤への配線を行い、受信盤の直上方にない電線からは壁際横引配管を用いて受信盤への配線を行うことが考えられる。このようにすれば、感知器の配線が簡単になり、感知器の容易な取付作業が実現される。
【００４５】
手段１４．手段１０乃至１３のいずれかに記載の感知器の取付構造において、
開口部分および固定部分の隙間に対するコーキングがなされていることを特徴とする感知器の取付構造。
【００４６】
手段１４によれば、開口部分および固定部分の隙間に対するコーキングがなされている。例えば、取付用プレートを用いる場合には取付用プレートとデッキプレートとの接合面の隙間を、また、配線用開口や受信盤用開口が設けられることを前提にこれらの開口の隙間をコーキングするという具合である。また例えば、螺着手段を用いる場合には、螺着手段の頭部の隙間をコーキングするという具合である。このようにすれば、感知器が雨水などによって影響を受ける可能性が小さくなる。
【発明を実施するための最良の形態】
【００４７】
以下に、実施の形態について図面を参照しつつ説明する。
【００４８】
図１は、本実施形態のデッキプレート１０に取り付けられた煙感知器２０を示すものである。１６ｍほどの高さに位置する工場用のデッキプレート１０の上方には、断熱材１１および防水シート１２が積層され、これらにより天井を構成している。煙感知器２０は、煙を感知して信号を送信する本体部２１と、配線のための露出型アウトレットボックス２２とを備えている。尚、図１中では、デッキプレート１０を太い実線で示した。
【００４９】
図１に示すように、本実施形態では、煙感知器２０は、デッキプレート１０の上側突状部分１３に下方へ突出するようにして取り付けられている。また、煙感知器２０から延びる電線２３は、デッキプレート１０の傾斜面１４に設けられた配線用開口１５からデッキプレート１０の上側へ導出され、上側溝状部分１６に配線されている。尚、電線２３には、電源線および信号線が含まれるものとする。
【００５０】
デッキプレート１０の上側突状部分１３には、図２に示すように、開口１７が設けられており、煙感知器２０は、この開口１７から下方へ突出するように取り付けられる。詳しくは、開口１７よりも一回り大きな取付用プレート３０に煙感知器２０が固定された状態で、取付用プレート３０を開口１７に合わせて固定することによって、煙感知器２０が所定位置に取り付けられる。図２中では、便宜上、煙感知器２０を二点鎖線で示した。
【００５１】
また、上述したように煙感知器２０から延びる電線２３は、デッキプレート１０の傾斜面１４に設けられた配線用開口１５からデッキプレート１０の上側溝状部分１６へ導出される。配線用開口１５には、煙感知器２０から延びる電線２３に傷をつけないようゴムブッシング４０が嵌められている。
【００５２】
図３に示すように、煙感知器２０から延びる電線２３は、デッキプレート１０の上側溝状部分１６（図３には不図示）を通して、受信盤６０に配線される。この配線方向、すなわち、デッキプレート１０の上側溝状部分１６の溝の延びる方向（記号Ｈで示す方向）において、煙感知器２０は例えば８ｍといった所定間隔で配設されている。図３中には、４つの煙感知器２０が配設されている様子を示した。そして、このような溝方向の煙感知器２０の組が、溝方向に平行に、これも例えば８ｍといった所定間隔で複数用意されている。図３中には、溝方向の煙感知器２０の組が３組用意されている様子を示した。
【００５３】
受信盤６０は、デッキプレート１０の下方の壁面に配設されるが、電線２３は、デッキプレート１０の溝方向に受信盤６０の配設された壁面６２の上方まで配線されている。図３中に太実線で示す如くである。したがって、受信盤６０の直上方まで配線された電線２３は、プールボックス６１から鉛直方向の配管６４を用いて受信盤６０へ配線される。一方、受信盤６０の直上方にない電線２３は、壁際横引配管６３からプールボックス６１に集められ、プールボックス６１から鉛直方向の配管６４を用いて受信盤６０へ配線される。この場合、配管６３，６４は、金具（不図示）などによって壁面６２に固定される。
【００５４】
以上は煙感知器２０の取付構造について説明してきたが、次に具体的な取付方法を、図４を用いて説明する。本実施形態のおける取付方法は、図１に示すような断熱材１１や防水シート１２がデッキプレート１０に積層されていない状態でなされるものであり、次に示す手順（１）〜（８）によりなされる。
【００５５】
（１）まず、デッキプレート１０に煙感知器２０を取り付けるための開口１７を設ける。また、煙感知器２０から延びる電線２３をデッキプレート１０の上側へ導出するための配線用開口１５を設ける。さらに、電線２３をデッキプレート１０の下方に配設される受信盤６０に配線するための受信盤用開口を設ける。
【００５６】
（２）次に、デッキプレート１０の上側溝状部分１６における配線を行う。この配線は、図３に示すように、上側溝状部分１６の溝の延びる方向（記号Ｈで示す方向）に沿って、受信盤６０の配設される壁面６２の上方までなされる。
【００５７】
（３）煙感知器２０は、予め取付用プレート３０に固定されているものとする。煙感知器２０は、本体部２１と露出型アウトレットボックス２２とで構成されており、本体部２１が露出型アウトレットボックス２２を介して取付用プレート３０に２本のねじ２５にて固定されている。ここで、煙感知器２０から延びる電線２３を、デッキプレート１０に設けられた配線用開口１５を通してデッキプレート１０の上側へ導出して配線する。
【００５８】
（４）次に、煙感知器２０に対する防水処理を行う。具体的には図５に示すように、煙感知器２０の本体部２１をビニル袋５０にて覆い、ビニル袋５０の開口端部５１をビニルテープ５２によって煙感知器２０に貼着する。このとき、ビニルテープ５２の一方の端部５３は、ビニル紐５４に固定する。図５には、ビニルテープ５２の端部５３をビニル紐５４に巻きつけて固定した様子が示されている。また、ビニルテープ５２の他方の端部５５は、ビニル袋５０に貼着して固定する。ビニル紐５４は、床の上の作業者に届くような長さとしておく。
【００５９】
（５）続いて、図４に示すように、煙感知器２０が固定された取付用プレート３０を、４本のタッピングビス３１にて、デッキプレートの開口１７を蓋うようにして所定位置に固定する。固定位置を図中には二点鎖線で示した。これによって、取付用プレート３０に固定された煙感知器２０は、デッキプレート１０の下方へ突出するようにして取り付けられる。
【００６０】
（６）次に、コーキングを行う。具体的には、取付用プレート３０とデッキプレート１０との接合面に隙間ができるため、図４中に記号Ａで示すように、取付用プレート３０の周縁部をコーキングする。また、ねじ２５およびタッピングビス３１の頭部の隙間をコーキングする。さらに、デッキプレート１０の配線用開口１５部分にできる隙間をコーキングする。
【００６１】
（７）デッキプレート１０の上側溝状部分１６の電線２３は、デッキプレート１０の下方に配設される受信盤６０に配線する。このとき、受信盤６０の配設される壁面６２の上方までデッキプレート１０の上側溝状部分１６に配線し、デッキプレート１０の受信盤用開口を通してデッキプレート１０の下方に引き出し、上側溝状部分１６の延びる方向に垂直な方向に横引き配線をすると共に、略鉛直方向の配線を行う。具体的には、受信盤６０の直上方まで配線された電線２３は、プールボックス６１から鉛直方向の配管６４を用いて受信盤６０へ配線する。一方、受信盤６０の直上方にない電線２３は、壁際横引配管６３からプールボックス６１に集められ、プールボックス６１から鉛直方向の配管６４を用いて受信盤６０へ配線する。この場合、配管６３，６４は、金具（不図示）などによって壁面６２に固定する。
【００６２】
（８）デッキプレート１０の上方に断熱材１１および防水シート１２が積層された後、煙感知器２０を覆うビニル袋５０を取り外す。具体的には、ビニル紐５４を引っ張ることによってビニルテープ５２を剥離させる。このとき、上述したように、ビニルテープ５２の他方の端部５５がビニル袋５０に貼着されているため、確実にビニル袋５０を取り外すことができる。
【００６３】
以上詳述したように、本実施形態の煙感知器２０は、デッキプレート１０の上部から取り付けられる。したがって、高所作業車を入れた床上作業が発生しない。つまり、天井に上っての作業となるのである。したがって、たとえば床から１６ｍといった高所に天井が位置する場合であっても、梁などの障害物が邪魔になることがなく、作業の自由度が小さくなることはない。また、高所作業車を用いた場合の不具合が払拭され、床仕上げ作業、照明器具取付作業、塗装工事、内装工事などの他の作業と競合することもなくなる。また、煙感知器２０から延びる電線２３がデッキプレート１０の上側部分に配線されるため、電線２３を支持するための金具が必要なくなり、いわゆる転がし配線が可能となる。その結果、煙感知器２０の容易な取付作業が実現される。
【００６４】
また、本実施形態では、煙感知器２０の取り付けられた取付用プレート３０をデッキプレート１０の開口１７を塞ぐようにして固定することによって、デッキプレート１０から下方へ突出した状態で煙感知器２０を取り付ける（図４参照）。その結果、煙感知器２０の容易な取付作業が実現される。
【００６５】
さらにまた、本実施形態では、煙感知器２０から延びる電線２３を、デッキプレート１０の上側溝状部分１６に配線する（図３参照）。デッキプレート１０の上方に断熱材１１や防水シート１２が積層される場合、デッキプレート１０の上側溝状部分１６は、空洞となる。しがたって、煙感知器２０から延びる電線２３の配線が簡単になり、煙感知器２０の容易な取付作業が実現される。
【００６６】
また、本実施形態では、煙感知器２０から延びる電線２３を、デッキプレート１０の傾斜面１４に設けられた配線用開口１５からデッキプレート１０の上側溝状部分１６へ導出させる。このようにすれば、デッキプレート１０の上側の配線が実現でき、煙感知器２０の容易な取付作業が実現される。
【００６７】
さらにまた、本実施形態において、デッキプレート１０の上側溝状部分１６の電線２３はデッキプレート１０の下方に配設される受信盤６０に配線されるが、このとき、受信盤６０の配設される壁面６２の上方までデッキプレート１０の上側溝状部分１６に配線し、デッキプレート１０の受信盤用開口を通してデッキプレート１０の下方に引き出し、上側溝状部分１６の延びる方向に垂直な方向に横引き配線をすると共に、略鉛直方向の配線を行う（図３参照）。したがって、壁面６２の上方まではデッキプレート１０の上側溝状部分１６に配線されるため、電線２３を支持するための金具は必要なく、いわゆる転がし配線が可能となる。そして、受信盤用開口から受信盤６０までの配線に伴う金具だけで足りる。具体的には、配管６３，６４を取り付けるための金具だけで足りる。その結果、煙感知器２０からの配線が簡単になり、煙感知器２０の容易な取付作業が実現される。
【００６８】
また、本実施形態では、取付用プレート３０とデッキプレート１０との接合面に隙間があっても、図４中に記号Ａで示すように、取付用プレート３０の周縁部をコーキングする。また、ねじ２５およびタッピングビス３１の頭部の隙間をコーキングする。さらに、デッキプレート１０の配線用開口１５部分にできる隙間をコーキングする。したがって、デッキプレート１０の上部に他の部材が積層されていない状態において煙感知器２０を取り付けても、煙感知器が雨水などによって影響を受ける可能性が小さい。
【００６９】
しかも、煙感知器２０自体に対する防水処理も行う。具体的には図５に示すように、煙感知器２０の本体部２１をビニル袋５０にて覆い、ビニル袋５０の開口端部５１をビニルテープ５２によって煙感知器２０に貼着する。このとき、ビニルテープ５２の一方の端部５３は、ビニル紐５４に固定し、ビニルテープ５２の他方の端部５５は、ビニル袋５０に貼着して固定する。これによって、煙感知器２０が雨水などによって影響を受ける可能性が小さくなると共に、デッキプレート１０の上部に他の部材を積層して防水処理が施された後には、速やかにビニル袋５０を取り外すことができる。ここで、ビニルテープ５２の他方の端部５５をビニル袋５０に貼着しているため、確実にビニル袋５０を取り外すことが可能である。
【００７０】
尚、上記実施の形態の記載内容に限定されず、例えば次のように実施してもよい。
【００７１】
（ａ）上記実施形態においては、煙感知器２０の取付構造および取付方法を示したが、例えば熱感知器といった別の感知器についても同様に適用できる。
【００７２】
（ｂ）上記実施形態では手順（７）で受信盤６０への配線を行っているが、煙感知器２０の取り付けに先立って、例えば手順（２）などで受信盤６０への配線を行うようにしてもよい。
【００７３】
（ｃ）上記実施形態では煙感知器２０自体をビニル袋５０で覆うようにして防水処理を行っているが、手順（６）に示すようなコーキングのみを行うようにしてもよい。十分なコーキングであれば雨水の侵入を防ぐことが可能だからである。ただし、煙感知器２０自体の防水処理を行えば煙感知器２０を雨水などから確実に保護することができるため、より望ましい。
【００７４】
（ｄ）上記実施形態では、デッキプレート１０の上部に断熱材１１および防水シート１２が積層されることを前提とし、デッキプレート１０の上側溝状部分１６に配線していた。これに対し、デッキプレート１０の上部にコンクリートが打設される場合や、デッキプレート１０のみで屋根が構成される場合も考えられる。
【００７５】
このような場合は、デッキプレート１０の配線用開口１５から配管を敷設するようにしてもよい。例えば図６に示すように、デッキプレート１０の上側溝状部分１６の溝の延びる方向への配管８１を敷設し、配線用開口１５からこの配管８１に連結する配管８０を設けるという具合である。そして、煙感知器２０から延びる電線２３を配管８０，８１を通して配線すればよい。もちろん、配管８１は、デッキプレートの上側溝状部分１６の上面に載置される位置に設けられていてもよい。
【００７６】
また、図６に二点鎖線で示すように、デッキプレート１０の上方に配管を敷設するようにしてもよい。この場合、溝の延びる方向と平行な配管８３を敷設し、くの字型の配管８２を連結するようにして、デッキプレート１０の上側突状部分１３から電線２３を引き出している。
【００７７】
これらの構成を採用しても、上記実施形態で述べた効果と同様の効果が得られることは言うまでもない。
【００７８】
（ｅ）上記実施形態では、受信盤６０が壁面６２に配設される場合を想定していたが、例えば、工場内の柱などに配設されることが考えられる。例えば図７に示す如くである。ここで、煙感知器２０から延びる電線２３は、デッキプレート１０の上側溝状部分１６を通して、受信盤６０に配線される。受信盤６０は、デッキプレート１０の下方に配設されるが、電線２３は、デッキプレート１０の上側溝状部分１６の溝の延びる方向（記号Ｈで示す方向）へ、受信盤６０の上方まで配線されている。図７中に破線で示す如くである。そして、デッキプレート１０に設けられた受信盤用開口２６を通してデッキプレート１０の下方に引き出され、上側溝状部分１６の延びる方向に垂直な方向に横引き配線がされると共に、略鉛直方向に受信盤６０へ配線されている。このとき受信盤用開口２６から受信盤６０までの電線２３は、柱７０に金具２４で支持固定されている。
【００７９】
このような構成によっても、受信盤６０の上方まではデッキプレート１０の上側溝状部分１６に配線されるため、電線２３を支持するための金具は必要なく、いわゆる転がし配線が可能となる。そして、受信盤用開口２６から受信盤６０までの配線に伴う金具だけで足りる。具体的には、横引き配線のための金具（不図示）や、略鉛直方向の配線のための金具２４だけで足りる。その結果、煙感知器２０からの配線が簡単になり、煙感知器２０の容易な取付作業が実現される。
【００８０】
なお、受信盤６０の直上方にだけ電線２３が配線されることも考えられる。その場合、横引き配線も不要となり、略鉛直方向の配線のための金具２４だけで足りることになる。
【図面の簡単な説明】
【００８１】
【図１】煙感知器の取付構造を示す説明図である。
【図２】開口を通しての煙感知器の取付構造を示す断面図である。
【図３】受信盤への配線を示す説明図である。
【図４】煙感知器の具体的な取付方法を示す分解斜視図である。
【図５】煙感知器に対する防水処理の一例を示す説明図である。
【図６】別実施形態の煙感知器の取付構造を示す説明図である。
【図７】別実施形態における受信盤への配線を示す説明図である。
【図８】従来の煙感知器の取付構造を示す説明図である。
【符号の説明】
【００８２】
１０…デッキプレート、１１…断熱材、１２…防水シート、１３…上側突状部分、１４…傾斜面、１５…配線用開口、１６…上側溝状部分、２０…感知器としての煙感知器、２１…本体部、２２…露出型アウトレットボックス、２３…電線、２４…金具、２５…螺着手段としてのねじ、３０…取付用プレート、３１…螺着手段としてのタッピングビス、４０…ゴムブッシング、５０…被覆手段としてのビニル袋、５１…開口端部、５２…貼着手段としてのビニルテープ、５３，５５…端部、５４…被覆取外し手段としてのビニル紐、６０…受信盤、６１…プールボックス、６２…壁面、６３…壁際横引配管、６４…配管、２６…受信盤用開口、７０…柱、８０，８１，８２，８３…配管、１００…デッキプレート、１１１…断熱材、１１２…防水シート、２００…煙感知器、２０１…本体部、２０２…露出型アウトレットボックス、２０３…電線、２０４…金具。
【図１】
2006107303.tif 000003
【図２】
2006107303.tif 000004
【図３】
2006107303.tif 000005
【図４】
2006107303.tif 000006
【図５】
2006107303.tif 000007
【図６】
2006107303.tif 000008
【図７】
2006107303.tif 000009
【図８】
2006107303.tif 000010